(57)【要約】【課題】眼鏡拭きとして専用に使用可能で嵩張らずかつ携帯可能な眼鏡拭きを提供すること。【解決手段】対向すべき面であるクリーナ面３ａを有する一対のクリーナ本体３を有し、その各クリーナ面３ａに眼鏡拭き用のクリーナ部材５を設け、前記一対のクリーナ本体３に両端がそれぞれ連結されてループ状にされた紐７と、当該ループ状にされた紐がスライド自在に挿通された管状体９とを有する。【選択図】図１
2006184508.tif 000002
【特許請求の範囲】
【請求項１】
対向すべき面を有する一対の本体を有し、
その各対向面に眼鏡拭き用のクリーナ部材を設けた携帯用眼鏡拭き。
【請求項２】
前記一対の本体に一端がそれぞれ連結され他端が連結された一対の紐と、
各紐がスライド自在に挿通された管状体とを有することを特徴とする請求項１に記載の携帯用眼鏡拭き。
【請求項３】
前記一対の本体に両端がそれぞれ連結されてループ状にされた紐と、
当該ループ状にされた紐がスライド自在に挿通された管状体とを有することを特徴とする請求項１に記載の携帯用眼鏡拭き。
【請求項４】
少なくとも一方の本体は磁石を有し、他方の本体にはこの磁石と吸着可能な磁性体を内部に有することを特徴とする請求項１〜３のいずれかに記載の携帯用眼鏡拭き。
【請求項５】
前記磁石および磁性体は、それらの間にレンズを介しても吸着可能な磁力を発生することを特徴とする請求項４に記載の携帯用眼鏡拭き。
【請求項６】
対向すべき面を有する一対の本体と、
当該一対の本体の対向面に設けられた眼鏡拭き用のクリーナ部材と、
前記一対の本体に各一端がそれぞれ連結され各他端が互いに連結された可撓性部材よりなる一対の連結条と、
を有することを特徴とする携帯用眼鏡拭き。
【請求項７】
前記一対の本体には、前記一対の本体が互いにその対向面を合致させるように結合する結合部材を有することを特徴とする請求項６に記載の携帯用眼鏡拭き。
【請求項８】
前記結合部材は、前記一対の本体の周縁部にそれぞれ対向して設けられていることを特徴とする請求項７に記載の携帯用眼鏡拭き。
【請求項９】
前記結合部材は、前記一対の本体の一方および他方にそれぞれ設けられた互いに嵌合可能な凹部および凸部であることを特徴とする請求項８に記載の携帯用眼鏡拭き。
【請求項１０】
前記結合部材のうち少なくとも一方の本体の結合部材は磁石であり、他方の本体の結合部材はこの磁石と吸着可能な磁性体であることを特徴とする請求項９に記載の携帯用眼鏡拭き。
【発明の詳細な説明】
【技術分野】
【０００１】
本発明は携帯用の眼鏡拭きに関する。
【背景技術】
【０００２】
周知な眼鏡拭きとし、セーム皮や、直径約２ミクロン（断面積比：髪の毛の１６００分の１）という超々極細繊維（ポリエステル１００％）を用いた東レ株式会社製の「トレシー（登録商標）」が知られている。
【０００３】
このような眼鏡拭きは、眼鏡ケースに入れて携帯される場合が多く、眼鏡ケースは背広の内ポケットや携帯用バックに入れて持ち歩くが、意外と嵩張る。また、眼鏡を時・場所・場合に合わせて使い分ける場合は別として、同じ眼鏡のみを着用する眼鏡使用者にとって、眼鏡ケースはあまり必要と感じない場合が少なくない。
【０００４】
このため、眼鏡ケースを携帯しない場合が容易に想定できるが、眼鏡ケースに入れてある眼鏡拭きも忘れがちになる。また、これら、布製の眼鏡拭きのみを携帯した場合でも、これらは小さいが故に紛失したり、忘れてしまったりする。
そこで、ハンカチやティッシュペーパが眼鏡拭きの代用になるが、ハンカチやティッシュペーパーは、本来、デリケートな眼鏡レンズ専用の材料からできたものではなく、また一旦使用したハンカチを眼鏡拭きとして使用すると、ハンカチの汚れが眼鏡のレンズに付着してしまうことがあり、抵抗がある。そして、ティッシュペーパを用いる場合は、拭いた後のティッシュペーパの処理に苦慮する。
このため、紛失したりせず嵩張らず且つ容易に携帯可能な眼鏡拭きの提案が望まれていた。
なお、眼鏡拭きの文献としては、例えば特許文献１が挙げられる。
【特許文献１】特開平８−２２０４９２号公報
【発明の開示】
【発明が解決しようとする課題】
【０００５】
本発明はこのような実情に鑑みてなされたものであり、その解決しようとする課題は、眼鏡拭きとして専用に使用可能で携帯可能な眼鏡拭きを提供することにある。
【課題を解決するための手段】
【０００６】
そこで、本発明では次の手段を採用した。
【０００７】
（１）すなわち、本発明の携帯用眼鏡拭きは、対向すべき面を有する一対の本体を有し、その各対向面に眼鏡拭き用のクリーナ部材を設けた。したがって、一対の本体の各対向面同士を対向させ、当該対向面の間に眼鏡のレンズを挟み、その状態でレンズ表面に沿って本体を移動すれば、クリーナ部材でレンズ表面の汚れを落とせる。クリーナー部材は、公知のセーム皮や先に述べた東レ株式会社製の「トレシー（登録商標）」を利用できる。また、内部にスポンジ等を内包させてもよい。
【０００８】
（２）また、前記一対の本体に一端がそれぞれ連結され他端が連結された一対の紐と、各紐がスライド自在に挿通された管状体とを有するようにしてもよい。一対の本体に一端がそれぞれ連結された一対の紐は、他端で相互に連結されているので、片方だけが紛失してしまうことを防止できる。
管状体は一対の紐に対してスライドできるので、一対の本体と管状体との間で一対の紐の長さ調整ができる。当該間の紐の長さが長いほど本体の動きの自由度は大きくなり、短
いほど当該自由度は小さくなる。自由度が大きければ、レンズの厚みの大小に拘わらず一対の本体をレンズで挟み易くなる。反対に自由度が小さければ一対の本体は揺れにくくなる。したがって、自由度を小さくして本体の揺れが抑制されれば、眼鏡拭きを携帯するのに便利で、また、嵩張らない。したがって積極的に眼鏡拭きを所持するようになり、忘れることが少なくなる。
使用にあたっては、管状体を本体から退行させた位置にして、本体の動きの自由度を大きくした状態で、眼鏡のレンズを挟むが、レンズの厚さや大きさに応じて管状体を本体側へとスライドさせると、本体の動きがレンズを挟んだ状態で規制されるので、その状態でレンズの両面を拭く。
【０００９】
（３）一対の紐を各他端で連結する代わりに、前記一対の本体に両端がそれぞれ連結されてループ状にされた紐と、当該ループ状にされた紐がスライド自在に挿通された管状体とを有するようにしてもよい。
上記（２）（３）でいう紐は、本体との連結部分に、携帯電話用のストラップに付属しているようなより細い紐を介在させていてもよい。さらに、本体とは反対側の他端側に小さいループ状の紐を取り付けてもよい。
【００１０】
（４）また、本体は、眼鏡のレンズより小さく、そして親指や人差し指の腹で押さえることのできる大きさが好ましく、通常は１０円玉あるいは１円玉程度の大きさで足りる。樹脂性のシートの内側に発泡性ウレタンやスポンジ等を挿入したものを例示できるが、磁石を内蔵してもよい。その場合、少なくとも一方の本体は磁石を有し、他方の本体にはこの磁石と吸着可能な磁性体を内部に有するようにしてもよい。これにより、一対の本体が互いに吸着し、携帯時に両者が勝手に動いて紐が絡みあうこともなくなる。
本体の表面には、商標や宣伝文、ロゴマークなどを表示してもよい。
【００１１】
（５）前記磁石および磁性体は、それらの間にレンズを介しても吸着可能な磁力を発生するものであることが望ましい。磁力が強ければ、一方の本体を動かすことで、他方の本体がこれに追従してレンズ表面を拭くことが可能となる。
【００１２】
（６）前記した携帯用眼鏡拭きに代えて、対向すべき面を有する一対の本体と、当該一対の本体の対向面に設けられた眼鏡拭き用のクリーナ部材と、前記一対の本体に各一端がそれぞれ連結され各他端が互いに連結された可撓性部材よりなる一対の連結条と、を有する携帯用眼鏡拭きであってもよい。
【００１３】
（７）この場合、前記一対の本体には、前記一対の本体が互いにその対向面を合致させるように結合する結合部材を有すると好適である。結合部材により対向面を合致させておけば、対向面は保護され、傷が付いたり破けたりし難くできる。但し、前記可撓性部材が大きな弾性復帰力を有するならば、結合部材は必ずしも必要なものではない。
【００１４】
（８）なお、結合部材は、前記一対の本体の周縁部にそれぞれ対向して設けることが考えられる。
【００１５】
（９）前記結合部材としては、前記一対の本体の一方および他方にそれぞれ設けられた互いに嵌合可能な凹部および凸部の場合を例示できる。
【００１６】
（１０）結合部材の別の例としては、一方の本体の結合部材は磁石とし、他方の本体の結合部材はこの磁石と吸着可能な磁性体とする場合を挙げられる。
【発明の効果】
【００１７】
本発明の携帯用眼鏡拭きは嵩張ることなく携帯でき、紛失のおそれも少ない。また一対
の本体の結合部材により対向面が合致されるので、対向面は保護され、汚れるのを抑制できる。
【発明を実施するための最良の形態】
【００１８】
以下、本発明の実施の形態（以下、実施形態）を添付した図面を参照して説明する。
（第１の実施形態）
【００１９】
図１〜図９は、本願発明の第１の実施形態（以下、第１実施形態）を示す。
【００２０】
携帯用眼鏡拭き１（以下、眼鏡拭き１）は、対向すべき面を有する一対のクリーナ本体３と、当該一対のクリーナ本体３の対向面であるクリーナ面３ａに設けられた眼鏡拭き用のクリーナ部材５と、前記一対のクリーナ本体３に両端がそれぞれ連結されてループ状にされた紐７と、当該ループ状にされた紐７がスライド自在に挿通された管状体９とを有する。
【００２１】
クリーナ本体３は、その外形状が眼鏡のレンズよりも幾分小さく、かつ偏平皿状をしている。その大きさは例えば１０円玉や１円玉程度である。また、クリーナ面３ａを除き外面３ｂは、例えばビニール材,皮革材,プラスチック材、金属等で被覆されている（図１および図２参照）。
【００２２】
図２に示すように、クリーナ部材５は、表面に東レ株式会社製の「トレシー（登録商標）」５ｂを用い、その内側にスポンジ５ａを内包させ、クリーナ本体３内にこれらを内蔵させる。
【００２３】
クリーナ本体３には、紐７が接続される。この紐７は、いわゆるストラップであって、その材料は、例えばビニール・布・革製等やそれらを紐として編んだものが挙げられる。紐７の曲折点７ａ側には、眼鏡拭き１を図示しないキーホルダーに係止するための係止リング８が設けられている。係止リング８としては、金属製のリング・チェーンその他の係止環が適用される。なお、係止リング８が無くても紐７を直にキーホルダーに取り付けてもよいのは勿論である。
【００２４】
管状体９は、ループ状の紐７をこれが重ね合わせられた状態で曲折点７ａ側から外嵌されるパイプであり、当該重ね合わせられた状態の紐７をスライド自在とする。紐７の外表面と管状体９の内表面との間では、ある程度の摩擦力を生じるように管状体９のしまり嵌めの程度（内径）や紐７および管状体９の摩擦係数が決められる。管状体９が紐７の曲折点７ａ側にあるほど、クリーナ本体３の動きの自由度は大きくなり、反対に管状体９が紐７の先端側にある程クリーナ本体３はその動きが抑制され自由度は小さくなる（図１および図４参照）。管状体９は、金属管、木製管他、コイルスプリングでもよい。その長さは、ある程度長い方が指で摘みやすいし、さらに、管状体を持って、本体で眼鏡レンズを挟むということも可能となる。好適には１ｃｍ〜２ｃｍがよい。なお、管状体の長さを短くしても本体の動きを規制する機能は損なわれない。その場合、管状体は、リングとなる。
【００２５】
次にこのような眼鏡拭き１の使用方法を説明する。
【００２６】
（１）管状体９を曲折点７ａ側にスライドさせ、一対のクリーナ本体３同士の自由度を大きくする（図４，図１参照）。
（２）一対のクリーナ本体３のクリーナ面３ａ同士を対向させた状態にして、当該クリーナ面３ａの間に眼鏡１１のレンズ１３を挟む（図３参照）。
（３）（２）の状態でレンズ表面に沿ってクリーナ本体３を移動し、クリーナ面３ａでレンズ表面の汚れを擦り取る（図３参照）。
（４）汚れが取れたらクリーナ本体３をレンズ１３から外す。
（５）管状体９をクリーナ本体３側に移動し、クリーナ本体３の自由度を小さくする（図４参照）。
（６）係止リング８を図示しないキーホルダーに係止する。
管状体９のスライドにより、クリーナ本体３の動きの自由度が大きければレンズ１３の厚みの大小に拘わらず、一対のクリーナ本体３をレンズ１３で挟み易くなる。反対に自由度が小さければ、一対のクリーナ本体３は揺れにくくなる。
【００２７】
したがって、眼鏡拭き１を使用するときは自由度を大きくするが、携帯するためにキーホルダーに係止する時には自由度を小さくしてクリーナ本体３の揺れを抑制するので、携帯に便利である。このように眼鏡拭き１の携帯が可能であって、従来のように眼鏡拭き１を眼鏡ケースに入れて持ち歩く必要がない。したがって積極的に眼鏡拭きを所持するようになり、持ち忘れることが少なくなる。
【００２８】
なお、通信器機の発達により、近年では携帯電話や簡易携帯電話は誰もが保持するため、図５に示すように、これら携帯電話１４のストラップ取り付け部１４ａに係止リング８を係止して眼鏡拭き１をぶら下げるようにすれば、眼鏡ふきの持ち忘れは一層少なくなる。
【００２９】
図６は、第１の応用例であって、一方のクリーナ本体３の中に磁石１５を有し、他方のクリーナ本体３の中にこの磁石１５と吸着可能な磁性体１７を有するようにしたものである。磁石１５および磁性体１７は、それらの間にレンズ１３を介しても吸着可能な磁力を発生するようになっている。こうすることで眼鏡拭き１でレンズ１３を拭いている時の安定性が高まり、眼鏡拭きをしている最中にクリーナ本体３を誤って落としてしまうことを防ぐことができる。
【００３０】
図７は、第２の応用例であって、クリーナ部材５がクリーナ本体３に対して着脱自在に取り付けられるものを示す。当該着脱の実行に当たり、クリーナ部材５とクリーナ本体３との対向面、例えばクリーナ部材５の底部外面およびクリーナ本体３の底部内面にマジックテープ（登録商標）その他の面ファスナー１８を張着するとよい。
【００３１】
図８（ａ）および（ｂ）は、第３の応用例を示すものであって、クリーナ部材５がクリーナ外面３ｂから突出する程に厚みがあり、かつ側面形状で先細りの偏平台形状にした場合を斜視図と側面図で示したものである。クリーナ外面３ｂを金属や硬度の高いプラスチックで形成した場合に有効であって、眼鏡拭き実行時に金属やプラスチックでできたクリーナ外面３ｂの縁が、レンズに当たって傷になることを抑制する。
【００３２】
図９は、第４の応用例であって、クリーナ本体の外面３ｂに透明なビニールシートからなるポケット３ｃを形成した場合を例示する。このポケット３ｃにお神籤、交通安全その他のお守り、写真等のグッズ１８を入れる。このようなポケット３ｃを設けることで、眼鏡拭きの付加価値を高めることができる。
【００３３】
（第２の実施形態）
次に図１０〜図１６を参照して、本願発明の第２の実施形態（以下、第２実施形態）を示す。
【００３４】
この第２実施形態に係る眼鏡拭き１Ａが第１実施形態に係る眼鏡拭き１と相違する点は、（１）ストラップの形態が異なり、可撓性部材でできている平板状をした一対の連結条７Ａとされていること、（２）クリーナ本体３に、前記一対のクリーナ本体３が互いにそのクリーナ面３ａを合致させるように結合させる結合部材２０を有することである。よっ
て、第１実施形態と同一部分には同一符号を付して説明を省略する。
【００３５】
一対の連結条７Ａは、その一端がクリーナ本体３と一体に形成され、他端は接着その他の結合手段により結合されている。
【００３６】
結合部材２０は、一対のクリーナ本体３の周縁部にそれぞれ対向して設けられているベラ２１・２１に、それぞれ凹部２３および凸部２５を設けたものである（図１０〜図１２参照）。結合部材２０の凹部２３および凸部２５を嵌合することにより、クリーナ面３ａを合致させることができる。この結果、クリーナ面３ａは保護され、傷が付いたり破けたりし難くなる（図１１，図１２参照）。
【００３７】
また、図１３に示す結合部材２０の第１の応用例のように、凹部２３および凸部２５代わりに、一方のクリーナ本体３のベラ２１に磁石２７を設け、他方のクリーナ本体３のベラ２１に磁石２７と吸着可能な磁性体２９を設けても凹凸結合の場合と同様、クリーナ面３ａを保護することができる。
なお、第２実施形態では、係止リング８には数珠状のチェーンが適用されている（図１１０，図１１参照）。
【００３８】
さらに、図１４に示す結合部材２０の第２の応用例のように、ベラ２１・２１のうちの一方を幾分引き延ばして板状のベルト状部２１ａとし、他方のベラ２１にはベルト状部２１ａの通るベルト通し穴の如き穴部２１ｂを形成して、両者を嵌合する場合でも、一対のクリーナ本体３のクリーナ面３ａ同士を合致させることができるので、クリーナ面３ａを保護することができる。
【００３９】
この場合、ベルト状部２１ａをクリーナ面３ａの内側から外側に移動させることでベルト状部２１ａを穴部２１ｂに通すが、図１５の第３の応用例に示すように、ベルト状部２１ａを長くして途中で折り曲げ、その状態でベルト状部２１ａを穴部２１ｂに対してその外側から内側に差し入れるようにすることもできる。
【００４０】
さらにまた、図１６の第４の応用例に示すように、ベラ２１・２１の両方を鍵状の雌・雄係止部２１ｃ・２１ｄとすることでも適用できる。
【００４１】
このように結合部材２０をいくつか例示したが、要するに結合部材２０によって、一対のクリーナ本体３のクリーナ面３ａ同士を合致させることができさえすれば、結合部材２０の形態はいかなるものでもよい。
【００４２】
この第２実施形態の場合も第１実施形態の場合と同様、携帯に便利であって、嵩張らない。したがって積極的に眼鏡拭きを所持するようになり、持ち忘れることが少なくなる。
【００４３】
本発明は上述の図示例にのみ限定されるものではなく、本発明の要旨を逸脱しない範囲内において種種変更を加え得ることは勿論である。
【００４４】
例えば、第２実施形態にあっても図５で示すように、クリーナ本体の中に磁石や磁性体を入れてもよい。その場合、本体の双方に磁石をＮ極、Ｓ極を対向させて内蔵させてもよいが、他方を鉄片としてもよい。さらに連結条７Ａを板磁石にすることでもクリーナ本体３に設けた結合部材の代わりとなる。
【００４５】
また、本眼鏡拭きを各種商品の販売促進を目的としたイベントやキャンペーンで配布するグッズとして配る際にクリーナ本体の表面や紐または連結条に、商標、キャッチフレーズ、写真等を印刷し、宣伝媒体として、本製品を利用することもできる。
さらに、クリーナ本体の形状を、上記実施例では、正面形状が円形のものを示したが、イベントやキャンペーンの目的に合わせて、また主催者のトレードマークの形状やイメージキャラクタの形状あるいは動物や乗り物その他の形状にすることができる。
【図面の簡単な説明】
【００４６】
【図１】本発明に係る携帯用眼鏡拭きの第１の実施形態の全体斜視図であって、携帯用眼鏡拭きを開いている状態を示す図である。
【図２】本発明に係る携帯用眼鏡拭きの本体の断面図である。
【図３】図１の携帯用眼鏡拭きを用いて眼鏡を拭いている状態を示す斜視図である。
【図４】眼鏡拭きが終了し、携帯用眼鏡拭きを閉じている状態を示す図である。
【図５】携帯電話のストラップ取り付け部に眼鏡拭きをぶら下げた状態で使用者が携帯している状態を示す図である。
【図６】第１の応用例を示す断面図であり、クリーナ本体に磁石又は磁性体が入れられている場合を説明するための断面図である。
【図７】第２の応用例を示す断面図であり、クリーナ部材がビニール材,皮革材,プラスチック材、金属からなるクリーナ外面に対して着脱自在に取り付けられる場合の断面図である。
【図８】第３の応用例を示す断面図であり、クリーナ部材がクリーナ外面から突出して形成した場合の断面図である。
【図９】第４の応用例を示す図であり、クリーナ外面にポケットが形成された場合をの断面図である。
【図１０】本発明に係る携帯用眼鏡拭きの第２の実施形態の全体斜視図であって、携帯用眼鏡拭きを開いている状態を示す図である。
【図１１】図１０の携帯用眼鏡拭きを閉じている状態を示す図である。
【図１２】図１１の要部断面図である。
【図１３】図１１の第１の応用例を示す図である。
【図１４】図１１の第２の応用例を示す図である。
【図１５】図１１の第３の応用例を示す図である。
【図１６】図１１の第４の応用例を示す図である。
【符号の説明】
【００４７】
１・１Ａ 携帯用眼鏡拭き
３ クリーナ本体
３ａ クリーナ面
３ｂ 外面
３ｃ ポケット
５ クリーナ部材
５ａ スポンジ
５ｂ トレシー（登録商標）
７ 紐
７Ａ 連結条
７ａ 曲折点
８ 係止リング
９ 管状体
１１ 眼鏡
１３ レンズ
１４ 携帯電話
１４ａ ストラップ取り付け部
１５ 磁石
１７ 磁性体
１８ 面ファスナー
２０ 結合部材
２１ ベラ
２１ａ ベルト状部
２１ｂ 穴部
２１ｃ 雌係止部
２１ｄ 雄係止部
２３ 凹部
２５ 凸部
２７ 磁石
２９ 磁性体
【図１】
2006184508.tif 000003
【図２】
2006184508.tif 000004
【図３】
2006184508.tif 000005
【図４】
2006184508.tif 000006
【図５】
2006184508.tif 000007
【図６】
2006184508.tif 000008
【図７】
2006184508.tif 000009
【図８】
2006184508.tif 000010
【図９】
2006184508.tif 000011
【図１０】
2006184508.tif 000012
【図１１】
2006184508.tif 000013
【図１２】
2006184508.tif 000014
【図１３】
2006184508.tif 000015
【図１４】
2006184508.tif 000016
【図１５】
2006184508.tif 000017
【図１６】
2006184508.tif 000018